(57)【要約】【課題】両面原稿を両面印刷する場合の設定内容を操作表示部上で容易に確認することが出来る画像形成装置を提供すること。【解決手段】原稿のとじ方向、原稿のセット方向、両面印刷物のとじ方向等、両面原稿・両面出力に関する設定を操作表示部１０７において実行すると、設定状態を表す原稿アイコンと出力アイコンが操作表示部１０７に表示される。【選択図】図３
2007329535.tif 000002
【特許請求の範囲】
【請求項１】
原稿を読み取って用紙上に印字出力する画像形成装置であって、
原稿に関する条件を設定する原稿設定手段と、
印字出力に関する条件を設定する出力設定手段と、
前記原稿設定手段により設定された両面原稿に関する条件の設定状態を表すアイコン（以下、「原稿アイコン」という。）と、前記出力設定手段により設定された両面印字出力に関する条件の設定状態を表すアイコン（以下、「出力アイコン」という。）を、双方のアイコンを関連付ける情報とともに同一画面上に表示する表示手段と、
を有することを特徴とする画像形成装置。
【請求項２】
前記原稿設定手段により設定される原稿に関する条件は、両面原稿の見開き方向に関する条件と、前記画像形成装置に対する両面原稿のセット方向に関する条件であることを特徴とする請求項１に記載の画像形成装置。
【請求項３】
前記出力設定手段による設定される印字出力に関する条件は、両面で印字出力された用紙の見開き方向に関する条件であることを特徴とする請求項１又は２に記載の画像形成装置。
【請求項４】
前記表示手段は、原稿及び印字出力について片面か両面かを選択する選択肢情報を、前記原稿アイコン及び前記出力アイコンとともに同一画面上に表示することを特徴とする請求項１乃至３の何れか１項に記載の画像形成装置。
【発明の詳細な説明】
【技術分野】
【０００１】
本発明は、原稿及び印字出力に関する条件の設定状態をアイコンにより表示する画像形成装置に関するものである。
【背景技術】
【０００２】
近年、複写機、プリンタ等の画像形成装置は多機能化が進み、画像形成装置で読み取る原稿に関する条件（片面・両面の条件、原稿画像の向き等）や印字出力に関する条件（用紙サイズ、片面、両面の条件、印字出力の向き等）に関して様々な設定が操作表示部上で可能となっている。しかし、原稿に関する条件等について様々な設定をした場合、全体としてどのように設定したのか、操作表示部上で容易に確認できないという問題があった。
【０００３】
そこで、簡単な模式絵であるアイコンを利用し、操作表示部上で様々な設定内容をアイコンで表示する技術が提案されている（特許文献１、特許文献２参照）。
【０００４】
特許文献１に記載の技術は、複数種類の原稿読取条件の設定を組み合わせた状態を表す原稿設定アイコンを操作部にグラフィック表示させるというものである。
【０００５】
また、特許文献２に記載の技術は、画像形成条件のうちで絵表示することができる内容をアイコン表示するアイコン表示エリアを、ディスプレイの表示画面内に設けるというものである。
【特許文献１】特開２００５−１５１１９０号公報
【特許文献２】特開２０００−３０７７８１号公報
【発明の開示】
【発明が解決しようとする課題】
【０００６】
しかし、特許文献１に記載の技術は、原稿に関する設定内容のみをアイコンにより表示しており、印字出力に関する設定内容はアイコンにより表示していない。従って印字出力に関して様々な設定をした場合は、印字出力に関する設定内容を操作表示部上で容易に確認することができず、また原稿に関する設定内容と印字出力に関する設定内容をアイコンを通じて比較することもできない。
【０００７】
また、特許文献２に記載の技術は、原稿に関する設定内容と印字出力に関する設定内容をアイコンにより表示しているが、両面原稿を両面印刷する場合の設定に関してはアイコンにより表示がされておらず不十分なものとなっている。例えば、図９（ａ）に示すように見開き方向が横方向（矢印で示す方向）である両面原稿を読み取って、図９（ｂ）に示すように見開き方向が縦方向（矢印で示す方向）である印刷物を出力させたい場合、原稿や印字出力に関して様々な設定をする必要があり、間違って設定しやすい。しかし、特許文献２に記載の技術では、両面原稿を両面印刷する場合の設定内容を操作表示部上で容易に確認することができず、間違った設定により印刷を実行し、ユーザーの意図とは違う印刷物を出力させてしまう可能性がある。
【０００８】
従って、本発明の目的は、両面原稿を両面印刷する場合の設定内容を操作表示部上で容易に確認することが出来る画像形成装置を提供することにある。
【課題を解決するための手段】
【０００９】
上記目的を達成すべく、本発明に係る画像形成装置は、
原稿を読み取って用紙上に印字出力する画像形成装置であって、
原稿に関する条件を設定する原稿設定手段と、
印字出力に関する条件を設定する出力設定手段と、
前記原稿設定手段により設定された両面原稿に関する条件の設定状態を表すアイコン（以下、「原稿アイコン」という。）と、前記出力設定手段により設定された両面印字出力に関する条件の設定状態を表すアイコン（以下、「出力アイコン」という。）を、双方のアイコンを関連付ける情報とともに同一画面上に表示する表示手段と、
を有することを特徴とするものである。
【発明の効果】
【００１０】
本発明に係る画像形成装置によれば、両面原稿を両面印刷する場合の設定内容を操作表示部上で容易に確認することが出来るため、ミスコピーを低減出来る。
【発明を実施するための最良の形態】
【００１１】
図１は、画像形成システムの中央断面図である。
【００１２】
画像形成システムは画像形成装置Ａ及び後処理装置Ｂを有する。
【００１３】
画像形成装置Ａは、画像形成部Ａ１、原稿搬送部Ａ２、及び画像読取部Ａ３を有する。
【００１４】
画像形成部Ａ１において、ドラム状の感光体１の周囲に帯電装置２、露光装置３、現像装置４、転写装置５Ａ、分離装置５Ｂ及びクリーニング装置６が配置されており、帯電、露光、現像及び転写の各プロセスが実行され、用紙Ｓ１、表紙Ｓ２にトナー像が形成される。トナー像が形成された用紙Ｓ１、表紙Ｓ２は定着装置８を通過して定着処理される。定着処理された用紙Ｓ１、表紙Ｓ２は、排紙ローラ７Ｃから画像形成装置Ａの外へ排出される。
【００１５】
なお、本実施形態における画像形成装置Ａは電子写真方式によりモノクロ画像を形成するものであるが、本発明に係る画像形成装置は本実施形態に限定されるものではない。
【００１６】
後処理装置Ｂは、製本動作、ステープル動作等、画像形成装置Ａから送り出された用紙Ｓ１に対して後処理を行う。後処理装置Ｂは用紙反転部３０、集積部４０、塗布部５０、用紙束に表紙を接合する接合部６０を有し、更に搬送部１０、排紙皿２０、表紙収納部８０、冊子排出部９０を有する。画像形成装置Ａから後処理装置Ｂへ搬送されてきた用紙Ｓ１は、搬送部１０に設けられた切り替えゲート（図示せず）により、排出路１１を経て排紙皿２０に排出されるか又は用紙反転部４０に搬送される。排紙皿２０には、後処理装置Ｂにおいて製本しない場合に用紙Ｓ１が排出される。後処理装置Ｂにおいて製本動作を実行する場合、用紙Ｓ１は搬送路１２を経て用紙反転部３０に搬送され、集積部４０に集積された後、接合部６０において用紙Ｓ１の束と表紙Ｓ２が接合される。
【００１７】
図２は、画像形成システムの制御構成に関するブロック図であり、代表的な制御構成を示している。
【００１８】
ＣＰＵ１００は画像形成装置Ａ全体の動作を制御するものであり、システムバス１０９を介して、ＲＯＭ（Ｒｅａｄ  Ｏｎｌｙ  Ｍｅｍｏｒｙ）１０１やＲＡＭ（Ｒａｎｄｏｍ  Ａｃｃｅｓｓ  Ｍｅｍｏｒｙ）１０２等に接続されている。このＣＰＵ１００は、ＲＯＭ１０１に格納されている各種制御プログラムを読み出してＲＡＭ１０２に展開し、各部の動作を制御する。また、ＣＰＵ１００は、ＲＡＭ１０２に展開したプログラムに従って各種処理を実行し、その処理結果をＲＡＭ１０２に格納するとともに操作表示部１０７上に表示させる。そして、ＲＡＭ１０２に格納した処理結果を所定の保存先に保存させる。
【００１９】
ＲＯＭ１０１は、プログラムやデータ等を予め記憶しており、磁気的、光学的記録媒体、若しくは半導体メモリで構成されている。本発明に係る原稿アイコン、出力アイコンはＲＯＭ１０１に記憶されており、必要に応じて読み出させる。
【００２０】
ＲＡＭ１０２は、ＣＰＵ１００によって実行される各種制御プログラムによって処理されたデータ等を一時的に記憶するワークエリアを形成する。
【００２１】
画像読取部１０４は、原稿を読み取って画像データを生成する。生成された画像データは、画像処理部１０５により処理が施され、画像形成部１０６に出力される。
【００２２】
画像形成部１０６は、画像処理部１０５により処理が施された画像データに基づいて用紙上に画像形成を行う。
【００２３】
原稿設定手段、出力設定手段、表示手段として機能する操作表示部１０７は、原稿に関する条件（例えば、両面原稿の見開き方向に関する条件、両面原稿のセット方向に関する条件等）や、印字出力に関する条件（例えば、両面で印字出力された用紙の見開き方向に関する条件等）が設定可能である。設定された状態はアイコン等により表示され、また画像形成装置Ａが実行する画像形成動作の進行状況等も表示される。
【００２４】
通信部１０８は、後処理装置Ｂに接続され、後処理装置Ｂとの間で各種データを送受信する。
【００２５】
後処理装置Ｂは、プログラムに従って後処理装置Ｂの各種制御を実行するＣＰＵ２００を中心に、システムバス２０７により、ＲＯＭ２０１、ＲＡＭ２０２等が相互に接続されている。ＲＯＭ２０１は、各種プログラムやデータを記憶しており、ＣＰＵ２００がこれらプログラムやデータを利用して後処理装置Ｂの制御を実行する。ＲＡＭ２０２は、ＣＰＵ２００によってワークエリアとして利用され、ＣＰＵ２００が制御を実行する際に必要なプログラムやデータを一時的に記憶する。製本部２０５はＣＰＵ２００によって制御され、製本動作を実行する。通信部２０６は、画像形成装置Ａに接続され、画像形成装置Ａとの間で各種データを送受信する。
【００２６】
図３は、画像形成装置Ａにおける操作表示部１０７の詳細図である。
【００２７】
図３に示す操作画面は操作表示部１０７の基本画面である。操作表示部１０７の基本画面では用紙サイズ、倍率、濃度等の設定が可能である。
【００２８】
アイコン表示領域１０７Ａにおいて、原稿と印字出力に関する設定内容を表す２つのアイコンが、双方のアイコンを関連付ける情報である矢印とともに表示されている。また、原稿搬送部Ａ２により原稿を自動的に送り、画像読取部１０４で原稿画像を読み取る場合は、アイコン表示領域１０７Ａに「ＡＤＦ」の文字が表示される。プラテンガラス（図示せず）に原稿をセットして原稿画像を読み取る場合は「ＡＤＦ」の文字が非表示となる。
【００２９】
アイコン表示領域１０７Ａの下部には、片面印刷か両面印刷か設定するための片面／両面設定釦１０７Ｂ（選択肢情報）が隣接して設置されており、アイコン表示領域１０７Ａに表示されるアイコンと片面／両面設定釦１０７Ｂが同一画面上に表示される。例えば片面／両面設定釦１０７Ｂにおける「両面＞両面」の釦をユーザーが押すと、両面原稿、両面出力という設定となる。この片面／両面設定釦１０７Ｂをアイコン表示領域１０７Ａに隣接してアイコンと同一画面上に表示することにより、原稿及び印字出力に関する設定内容をアイコンにより確認し、片面、両面の設定を変更したい場合に迅速に変更することが出来る。
【００３０】
画像読取部１０４で読み取る原稿に関して詳細な設定をする場合は、タグ形式の集約／原稿釦１０７Ｃを押し、次に表示される設定画面で詳細な設定を行う。同様に印字出力に関して詳細な設定をする場合は、図３に示す基本画面の左側に設置された仕上がり釦１０７Ｄを押し、次に表示される設定画面で詳細な設定を行う。以下、原稿に関する設定動作と印字出力に関する設定動作を説明する。
【００３１】
図４は、原稿に関する設定項目が表示された操作表示部画面の詳細図である。
【００３２】
図３で示した操作表示部１０７の基本画面において集約／原稿釦１０７Ｃが押されると、図４（ａ）に示すような原稿の集約や原稿セット方向等を設定できる画面が表示される。両面原稿のとじ方向を設定する場合は、図４（ａ）に示す操作表示部画面の右側に設置されたとじ方向釦１０７Ｅを押し、図４（ｂ）に示す設定画面で設定を行う。両面原稿のとじ方向とは、両面原稿の見開き方向に相当するものであり、複数枚の両面原稿においてページをめくる方向を意味する。原稿のとじ方向は、両面原稿の表裏において用紙に対する画像の向きが異なる場合があるために設定する必要があり、図９を用いて説明すると、図９（ａ）で示すような両面原稿は、見開き方向が「横方向」、とじ方向が「左右とじ」であり、図９（ｂ）で示すような両面原稿は、見開き方向が「縦方向」、とじ方向が「上とじ」である。図４（ｂ）に示すように原稿のとじ方向としては「左右とじ」と「上とじ」の２種類が有り、図４（ｂ）のどちらかの釦をユーザーが押すことにより設定される。
【００３３】
次に原稿のセット方向に関して設定する場合は、図４（ａ）に示す操作表示部画面の右側に設置された原稿セット方向釦１０７Ｆを押し、図４（ｃ）に示す設定画面で設定を行う。原稿のセット方向とは、画像形成装置Ａの原稿搬送部Ａ２等に置かれる原稿の向きを意味し、画像読取部１０４で読み取る原稿画像の向きを把握するために必要である。図４（ｃ）に示すように原稿のセット方向としては「上向き」「下向き」「左向き」「右向き」の４種類があり、ユーザーが上向き等の釦を押すことにより設定される。
【００３４】
次に印字出力に関する設定動作を図５を用いて説明する。
【００３５】
図５は、印字出力に関する設定項目が表示された操作表示部画面の詳細図である。
【００３６】
図３で示した操作表示部１０７の基本画面において仕上がり釦１０７Ｄが押されると、図５（ａ）に示すようなソート、ステープル等の印字出力に関して設定できる画面が表示される。出力される両面印刷物のとじ方向（出力された両面印刷物の見開き方向）を設定する場合は、図５（ａ）に示す操作表示部画面の排紙方法釦１０７Ｇを押し、図５（ｂ）に示す設定画面で設定を行う。
【００３７】
とじ方向の概念については図４（ｂ）で説明した通りである。両面の印刷物に対してとじ方向を設定する場合は、両面とじ方向の設定領域Ｘにおいて「上とじ」又は「左右とじ」のいずれかの釦を押すことにより設定される。
【００３８】
操作表示部１０７における設定方法は以上説明した通りであり、次に両面原稿・両面出力の設定がなされた場合、アイコン表示領域１０７Ａに表示されるアイコンを取得する動作を図６を用いて説明する。
【００３９】
図６は、アイコンを取得する動作を示したフローチャート図である。
【００４０】
まず、操作表示部１０７の基本画面において、両面原稿・両面出力を選択する（ステップＳ１）。これは前述したように、片面／両面設定釦１０７Ｂにおける「両面＞両面」の釦をユーザーが押すと、両面原稿、両面出力という設定となる。
【００４１】
次の動作は原稿に関する設定であり、原稿のとじ方向を選択した上で（ステップＳ２）、原稿のセット方向を選択し（ステップＳ３）、原稿に関する設定内容が決定される。原稿のとじ方向は「左右とじ」「上とじ」の何れか、原稿のセット方向は「上向き」「下向き」「左向き」「右向き」の何れかをユーザーが操作表示部１０７上で選択することにより決定される。
【００４２】
そして次に印字出力に関する設定であり、両面出力のとじ方向を選択し（ステップ４）、印字出力に関する設定内容が決定される。両面出力のとじ方向は「左右とじ」「上とじ」の何れかをユーザーが操作表示部１０７上で選択することにより決定される。
【００４３】
なお、ステップＳ１からステップＳ４までの順序は一例であり、両面原稿・両面出力の選択、原稿に関する設定、印字出力に関する設定がなされれば異なる順序としても良い。
【００４４】
そして選択された情報によりＲＯＭ１０１から原稿アイコンと出力アイコンを取得し（ステップＳ５）、操作部表示部１０７上に原稿アイコンと出力アイコンを表示する。原稿アイコンは両面原稿に関する条件の設定状態を表すアイコンであり、出力アイコンは両面印字出力に関する条件の設定状態を表すアイコンである。原稿アイコンと出力アイコンを表示する動作はＣＰＵ１００がＲＯＭ１０１に記憶された所定のプログラムにより実行される。
【００４５】
このような一連の動作によって図３のアイコン表示領域１０７Ａに原稿アイコンと出力アイコンが表示されるのである。
【００４６】
図７は、アイコン表示領域１０７Ａに表示されるアイコンの種類を示した説明図である。
【００４７】
両面原稿のとじ方向、両面印刷物のとじ方向に関しては図７（ａ）に示す２種類のアイコンがあり、とじ方向が「左右とじ」であれば図７（ａ）の左側に示すアイコンが表示され、とじ方向が「上とじ」であれば図７（ｂ）の右側に示すアイコンが表示されることになる。
【００４８】
原稿のセット方向に関しては、とじ方向が「左右とじ」であれば図７（ｂ）に示すような４種類のアイコンのうち何れかのアイコンが表示されることになる。図７（ｂ）の右から順に「上向き」「下向き」「左向き」「右向き」のアイコンとなっている。また、とじ方向が「上とじ」であれば図７（ｃ）に示すような４種類のアイコンのうち何れかのアイコンが表示されることになる。図７（ｃ）の右から順に「上向き」「下向き」「左向き」「右向き」のアイコンとなっている。
【００４９】
以上説明したアイコンにより、実際にどのような形態でアイコン表示領域１０７Ａに原稿アイコン、出力アイコンが表示されるか図８を用いて説明する。
【００５０】
図８は、アイコン表示領域１０７Ａに表示される具体的なアイコンの種類を示す説明図である。
【００５１】
図８（ａ）〜（ｃ）において左側のアイコンは原稿アイコンを示し、右側のアイコンは出力アイコンを示し、両アイコンは矢印により関連付けられて操作表示部１０７に表示される。アイコン表示領域１０７Ａにどのように表示されるのか、いくつかの例をもとに説明する。
【００５２】
図８（ａ）に示すアイコンは、原稿のとじ方向が左右とじ、原稿のセット方向が上向き、両面印刷物のとじ方向が上とじの場合に表示される。
【００５３】
図８（ｂ）に示すアイコンは、原稿のとじ方向が左右とじ、原稿のセット方向が右向き、両面印刷物のとじ方向が左右とじの場合に表示される。
【００５４】
図８（ｃ）に示すアイコンは、原稿のとじ方向が上とじ、原稿のセット方向が左向き、両面印刷物のとじ方向が左右とじの場合に表示される。
【００５５】
図８（ｄ）に示すアイコンは、原稿のとじ方向が上とじ、原稿のセット方向が右向き、両面印刷物のとじ方向が上とじの場合に表示される。
【００５６】
ちなみに、片面に関しても片面用のアイコンが表示される。図８（ｅ）の左側にあるアイコンが片面用のアイコンである。例えば原稿画像が片面で原稿のセット方向が上向きであり、両面印刷物のとじ方向が左右とじである場合は、図８（ｅ）に示すようなアイコンがアイコン表示領域１０７Ａに表示される。
【００５７】
以上説明したように、両面原稿を両面印刷する場合に、図８で示したような原稿アイコンと出力アイコンを操作表示部１０７上に表示することによって、ユーザーは設定内容を容易に確認することが出来る。その結果、ユーザーの意図通りに両面印刷物を出力することができ、ミスコピーを低減できる。
【００５８】
なお、本発明は当該実施の形態に限定されるものではなく、本発明の要旨を逸脱しない範囲における変更や追加があっても本発明に含まれる。
【図面の簡単な説明】
【００５９】
【図１】画像形成システムの中央断面図である。
【図２】画像形成システムの制御構成に関するブロック図である。
【図３】画像形成装置Ａにおける操作表示部１０７の詳細図である。
【図４】原稿に関する設定項目が表示された操作表示部画面の詳細図である。
【図５】印字出力に関する設定項目が表示された操作表示部画面の詳細図である。
【図６】アイコンを取得する動作を示したフローチャート図である。
【図７】アイコン表示領域１０７Ａに表示されるアイコンの種類を示した説明図である。
【図８】アイコン表示領域１０７Ａに表示される具体的なアイコンの種類を示す説明図である。
【図９】両面原稿及び両面印刷物の見開き方向を示す説明図である。
【符号の説明】
【００６０】
Ａ  画像形成装置
Ｂ  後処理装置
１００  ＣＰＵ
１０１  ＲＯＭ
１０２  ＲＡＭ
１０４  画像読取部
１０６  画像形成部
１０７  操作表示部
１０７Ａ  アイコン表示領域
【図１】
2007329535.tif 000003
【図２】
2007329535.tif 000004
【図３】
2007329535.tif 000005
【図４】
2007329535.tif 000006
【図５】
2007329535.tif 000007
【図６】
2007329535.tif 000008
【図７】
2007329535.tif 000009
【図８】
2007329535.tif 000010
【図９】
2007329535.tif 000011